(57)【要約】  本発明はカード取り出し機構(２０)に関するものであり、当該カード取り出し機構(２０)は、スライディングレール(２０１)と、エジェクター(２０２)と、スプリング(２０３)とを具備してなる。エジェクター(２０２)が、スライディングレール(２０１)のプッシュアウトポジション(２０７)からプッシュエンドポジション(２０６)へと押し込まれたとき、エジェクター(２０２)は突出部(２０８)に掛止され、これによってスプリング(２０３)を引き伸ばし、突出スプリング力を発生させる。エジェクター(２０２)が再び押し込まれたとき、エジェクター(２０２)は突出部(２０８)から掛止解除され、続いてプッシュアウトポジション(２０７)へとスライドして戻り、突出スプリング力によって、差し込まれたカードを排出する。
2008525909.tif 000002
【特許請求の範囲】
【請求項１】
カード取り出し機構(２０)であって、
突出部(２０８)と、プッシュエンドポジション(２０６)と、プッシュアウトポジション(２０７)とを備えたスライディングレール(２０１)と、
前記スライディングレール(２０１)上に搭載され、かつ、前記カードを突出させるために前記スライディングレール(２０１)の前記プッシュエンドポジション(２０６)と前記プッシュアウトポジション(２０７)との間でスライド可能なエジェクター(２０２)と、
前記エジェクター(２０２)と前記スライディングレール(２０１)とを連結すると共に突出スプリング力を提供するためのスプリング(２０３)と、を具備してなり、
前記エジェクター(２０２)が、前記スライディングレール(２０１)の前記プッシュアウトポジション(２０７)から前記プッシュエンドポジション(２０６)へと押し込まれたとき、前記エジェクター(２０２)は前記突出部(２０８)に掛止され、これによって前記スプリング(２０３)を引き伸ばして突出スプリング力を発生させ、かつ
前記エジェクター(２０２)が再び押し込まれたとき、前記エジェクター(２０２)は前記突出部(２０８)から掛止解除され、続いて前記プッシュアウトポジション(２０７)へとスライドして戻り、前記突出スプリング力によって、差し込まれた前記カードを突出させるようになっていることを特徴とするカード取り出し機構。
【請求項２】
前記カードが確実に正確に差し込まれるようにするために、前記カードをガイドするためのガイドプレート(３０)をさらに具備してなることを特徴とする請求項１に記載のカード取り出し機構。
【請求項３】
前記エジェクター(２０２)とつながった第１の端部(２０４１)と、フックとして形成された第２の端部(２０４２)と、を有するロッド(２０４)をさらに具備してなることを特徴とする請求項１に記載のカード取り出し機構。
【請求項４】
前記突出部(２０８)はＶ字形状ガイド溝(２０８１)を有し、前記ロッド(２０４)の前記第２の端部(２０４２)が前記突出部(２０８)に沿って動き、続いて前記Ｖ字形状ガイド溝(２０８１)内でスライドするようになっていることを特徴とする請求項３に記載のカード取り出し機構。
【請求項５】
前記第２の端部(２０４２)が確実に前記溝(２０８１)の周囲を移動するように、前記第１の端部が前記エジェクター(２０２)の中心線(２０２１)から外れていることを特徴とする請求項４に記載のカード取り出し機構。
【請求項６】
前記第２の端部(２０４２)が確実に前記Ｖ字形状ガイド溝(２０８１)内で適切にスライドするように、前記ロッド(２０４)を前記スライディングレール(２０１)に対して付勢するためのスプリング帯片(２０５)をさらに具備してなることを特徴とする請求項４に記載のカード取り出し機構。
【請求項７】
カードをホストシステムに対して接続するためのカードコネクター(１)であって、
前記カードを前記カードコネクターに差し込んだ際に前記カードを保持するためのハウジング(１０)と、
前記カードを突出させるためのカード取り出し機構(２０)であって、
突出部(２０８)と、プッシュエンドポジション(２０６)と、プッシュアウトポジション(２０７)と、を備えたスライディングレール(２０１)と、
前記スライディングレール(２０１)上に搭載され、かつ、前記カードを突出させるために前記スライディングレール(２０１)の前記プッシュエンドポジション(２０６)と前記プッシュアウトポジション(２０７)との間でスライド可能なエジェクター(２０２)と、
前記エジェクター(２０２)とガイドプレート(３０)とを連結すると共に突出スプリング力を提供するためのスプリング(２０３)と、を備えたカード取り出し機構(２０)と、を具備してなり、
前記エジェクター(２０２)が、前記スライディングレール(２０１)の前記プッシュアウトポジション(２０７)から前記プッシュエンドポジション(２０６)へと押し込まれるとき、前記エジェクター(２０２)は前記突出部(２０８)に掛止され、これによって前記スプリング(２０３)を引き伸ばして、突出スプリング力を発生させ、かつ
前記エジェクター(２０２)が再び押し込まれたとき、前記エジェクター(２０２)は前記突出部(２０８)から掛止解除され、続いて前記プッシュアウトポジション(２０７)へとスライドして戻り、前記突出スプリング力によって、差し込まれた前記カードを突出させるようになっていることを特徴とするカードコネクター(１)。
【請求項８】
前記カードが確実に正確にカードコネクターに差し込まれるようにするために、前記カードをガイドするためのガイドプレート(３０)をさらに具備してなることを特徴とする請求項７に記載のカードコネクター。
【請求項９】
前記エジェクター(２０２)とつながった第１の端部(２０４１)と、フックとして形成された第２の端部(２０４２)と、を有するロッド(２０４)をさらに具備してなることを特徴とする請求項７に記載のカードコネクター。
【請求項１０】
前記突出部(２０８)はＶ字形状ガイド溝(２０８１)を有し、前記ロッド(２０４)の前記第２の端部(２０４２)が前記突出部(２０８)の外面に沿って動き、続いて前記Ｖ字形状ガイド溝(２０８１)内でスライドするようになっていることを特徴とする請求項９に記載のカードコネクター。
【請求項１１】
前記第２の端部(２０４２)が確実に前記突出部(２０８)の周囲を移動するように、前記第１の端部(２０４１)が前記エジェクター(２０２)の中心線(２０２１)から外れていることを特徴とする請求項１０に記載のカードコネクター。
【請求項１２】
前記第２の端部(２０４２)が確実に前記Ｖ字形状ガイド溝(２０８１)内で適切にスライドするように、前記ロッド(２０４)を前記スライディングレール(２０１)に対して付勢するためのスプリング帯片(２０５)をさらに具備してなることを特徴とする請求項１０に記載のカードコネクター。
【発明の詳細な説明】
【技術分野】
【０００１】
本発明は、カードソケット用のカード取り出し機構に関するものであり、さらに詳しくは、カードをホストシステムに対して接続するためのカードコネクターにおけるカード取り出し機構に関するものである。
【背景技術】
【０００２】
カム構造およびハート形カム構造のような機構が特許文献１および特許文献２に開示されている。従前の機構は、前後ロックおよび解放ポジションに関する機能を実現できるが、その構造は複雑であり、製造コストが高く付き、そして占有スペースは大きなものであった。
【特許文献１】米国特許第5,871,365号明細書
【特許文献２】米国特許第5,499,925号明細書
【発明の開示】
【発明が解決しようとする課題】
【０００３】
したがって、容易に製造できる、簡素化された構造を有するカード取り出し機構を提供することが必要である。
【課題を解決するための手段】
【０００４】
上記の従来型カード取り出し機構の欠点に鑑みて、本発明は、従来技術の問題を克服するために、容易に製造可能な簡素化された構造を有するカード取り出し機構を提供する。本発明の好ましい実施形態によれば、このカード取り出し機構は、
突出部とプッシュエンドポジションとプッシュアウトポジションとを備えたスライディングレールと、
スライディングレール上に搭載され、かつ、カードを突出させるためにスライディングレールのプッシュエンドポジションとプッシュアウトポジションとの間でスライド可能なエジェクターと、
エジェクターを連結すると共に突出スプリング力を提供するためのスプリングと、を具備してなり、
エジェクターが、スライディングレールのプッシュアウトポジションからプッシュエンドポジションへと押し込まれたとき、エジェクターは突出部に掛止され、これによってスプリングを引き伸ばして、突出スプリング力を発生させ、かつ、エジェクターが再び押し込まれたとき、エジェクターは突出部から外れ(掛止解除され)、続いてプッシュアウトポジションへとスライドして戻り、突出スプリング力によって、差し込まれたカードを突出させるようになっている。
【０００５】
本発明のさらなる特徴は、以下の詳細な説明ならびに図面の簡単な説明から理解できる。
【発明を実施するための最良の形態】
【０００６】
以下、本発明の好ましい実施形態について説明する。だが本発明は、詳細な説明に記載のもの以外の実施形態にも広く適用可能であり、そして本発明の範囲は以下の実施形態によって制限されるものではなく、それは請求項の記載内容によって規定される。
【０００７】
図１ａおよび図１ｂは、本発明の好ましい実施形態によるカードコネクターに適用されたカード取り出し機構の概略図である。このカードコネクター１は、ハウジング１０と、カード取り出し機構２０とを具備してなる。
【０００８】
図２ａおよび図２ｂに示すように、本発明は、さらに詳しくは、カード取り出し機構２０に関し、ここで、カード取り出し機構２０は、スライディングレール２０１と、エジェクター２０２と、スプリング２０３とを具備してなる。図３に示すように、スライディングレール２０１は、突出部２０８と、プッシュエンドポジション２０６と、プッシュアウトポジション２０７とを有する。図４に示すように、エジェクター２０２は、カード(図示せず)を突出させる(跳び出させる)ために、スライディングレール２０１に、このスライディングレール２０１のプッシュエンドポジション２０６とプッシュアウトポジション２０７との間でスライド可能に配設できる。スプリング２０３は、スライディングレール２０１とロッド２０４との間に連結されており、それは突出(エジェクション)スプリング力を提供する。エジェクター２０２が、スライディングレール２０１のプッシュアウトポジション２０７からプッシュエンドポジション２０６まで押し込まれたとき、エジェクター２０２は突出部２０８に掛止され、これによってスプリング２０３を引き伸ばし、突出スプリング力を発生させ、かつ、エジェクター２０２が再び押し込まれたとき、このエジェクター２０２は突出部２０８から掛止解除され、続いてプッシュアウトポジション２０７までスライドして戻り、そして突出スプリング力によって、差し込まれたカードを突出させる。
【０００９】
図１ａおよび図１ｂに示すように、ハウジング１０は、カードを収容するための、底面１０２と上面カバー１０１とを備える。好ましい実施形態によれば、カードコネクター１は、通常、コンピューターあるいはシステムホストコンピューター(図示せず)内に搭載されてソケットと連結され、そしてこれによって、カードがカードコネクター１に差し込まれたとき、コンピューターあるいはシステムホストコンピューターとつながることができる。
【００１０】
図１ａに示すハウジング１０の底面１０２と上面カバー１０１とは金属素材あるいはその他の素材から形成される。また図１ｂにも示すように、ハウジングは単一サイドを有するだけである。放熱のために、底面１０２および上面カバー１０１には複数の孔が存在する。ハウジング１０は、カードの差し込みのための溝を形成する内壁１０３を有する。また、カードコネクター１はさらに、カードが確実にカードコネクター１内に適切に差し込まれるようにするために、カードをガイドするためのガイドプレート３０を具備してなる。
【００１１】
図２ａは、本発明の好ましい実施形態によるカード取り出し機構の概略図である。図２ｂは、カード取り出し機構２０の構成部品の分解図である。図２ａおよび図２ｂに示すように、エジェクター２０２はスライディングレール２０１上に搭載され、そしてこのスライディングレール２０１の二つの端部間でスライド可能となっている。スプリング２０３の一端はエジェクター２０２に掛止され、かつスプリング２０３の他端はハウジング１０すなわちスライディングレール２０１に対してロッドを介して連結される。それゆえ、カードをハウジング１０内に差し込み、溝の内壁１０３に沿って内部に押し込んだとき、カードはエジェクター２０２の連結ロッド２０２２を押しやる。このとき、エジェクター２０２は引きずられて、スライディングレール２０１上をスライドし、これによってスプリング２０３を引き伸ばす。
【００１２】
図３に示すように、スライディングレール２０１は、突出部２０８と、プッシュエンドポジション２０６と、プッシュアウトポジション２０７とを有する。溝２０８１は突出部２０８の周りに形成される。溝２０８１の前端部はＶ字形状であり、すなわち全体的には概してハート形状である。本発明の好ましい実施形態によれば、図２ｂに示すロッド２０４は、エジェクター２０２の孔２０２３に組み付けられた第１の端部２０４１と、フック形状となるよう曲げられた第２の端部２０４２とを有する。スプリング帯片２０５がロッド２０４を押圧するのに使用されており、これによって第２の端部２０４２を、ロッド２０４のこの第２の端部２０４２が確実に溝２０８１内に留まるようにするために、スライディングレール２０１に対して押し付けることができる。図２ａおよび図２ｂに示すように、ロッド２０４の第１の端部２０４１は、エジェクター２０２の孔２０２３を経て突出している。エジェクター２０２の孔２０２３のポジションは図２ｂに示すとおりであり、しかもそれは、第２の端部２０４２が確実に溝２０８１内で突出部２０８の周りを循環移動するようエジェクター２０２の中心線２０２１から外れていることが好ましい。
【００１３】
図４は、本発明の好ましい実施形態によるカードコネクターの一部拡大図であり、これは、本発明のカード取り出し機構をさらに説明するためのものである。図４に示すように、カードを、好ましい実施形態に関して説明したカードコネクター内に差し込んだとき、エジェクター２０２の接続ロッド２０２２はカードによって押しやられ、これによってエジェクター２０２はスライディングレール２０１上をスライドする。カードが押し込まれたとき、ロッド２０４は、溝２０８１内でプッシュアウトポジション２０７からプッシュエンドポジション２０６まで押しやられる。その際、ロッド２０４は、溝２０８１のＶ字形状前端部内へとスライドする。ロッド２０４が溝２０８１のＶ字形状前端部に掛止された際、エジェクター２０２はスライディングレール２０１の後端部に固定される。ロッド２０４の第２の端部２０４２が溝２０８１のＶ字形状前端部から離れるよう押しやられたとき、ロッド２０４は、スプリング２０３の復元力によって、図４に示す方向に溝２０８１内でプッシュアウトポジション２０７へと戻る。エジェクター２０２はまた、スプリング２０３の復元力によって、差し込まれたカードを押し出す。
【００１４】
本発明の好ましい実施形態によれば、エジェクター２０２を前後方向に押し動かすことで、ロッド２０４の第２の端部２０４２は溝２０８１内で循環動作することができる。つまり、本発明に関して開示されたカード取り出し機構によって、単なるプッシュ動作で、カードを差し込みポジションすなわち取り出しポジションへと繰り返し変位させることができる。本発明に関して説明したカード取り出し機構は、本実施形態において説明したカードコネクター用途に限定されるものではなく、その他の実施形態でも応用可能である。
【００１５】
上記説明は、本発明の好ましい実施形態に関するものに過ぎず、本発明の範囲を制限する意図はない。本発明の趣旨から逸脱することなく実施される全ての同等の変形あるいは変更は、請求項の記載の範囲内のものである。
【図面の簡単な説明】
【００１６】
【図１ａ】本発明の好ましい実施形態に基づく、カードコネクターに適用されたカード取り出し機構の概略図である。
【図１ｂ】本発明の好ましい実施形態に基づく、カードコネクターに適用されたカード取り出し機構の概略図である。
【図２ａ】本発明の好ましい実施形態に基づく、カード取り出し機構の概略図である。
【図２ｂ】図２ａの分解図である。
【図３】本発明の好ましい実施形態に基づく、スライディングレールの拡大図である。
【図４】本発明の好ましい実施形態に基づく、カードコネクターの一部拡大図である。
【符号の説明】
【００１７】
１  カードコネクター
１０  ハウジング
２０  カード取り出し機構
３０  ガイドプレート
１０１  上面カバー
１０２  底面
１０３  内壁
２０１  スライディングレール
２０２  エジェクター
２０３  スプリング
２０４  ロッド
２０５  スプリング帯片
２０６  プッシュエンドポジション
２０７  プッシュアウトポジション
２０８  突出部
２０２１  中心線
２０２２  連結ロッド
２０２３  孔
２０４１  第１の端部
２０４２  第２の端部
２０８１  溝
【図１ａ】
2008525909.tif 000003
【図１ｂ】
2008525909.tif 000004
【図２ａ】
2008525909.tif 000005
【図２ｂ】
2008525909.tif 000006
【図３】
2008525909.tif 000007
【図４】
2008525909.tif 000008
【国際調査報告】
2008525909.tif 000009
2008525909.tif 000010
2008525909.tif 000011